【手続補正書】
【提出日】平成20年7月28日(2008.7.28)
【手続補正１】
【補正対象書類名】明細書
【補正対象項目名】特許請求の範囲
【補正方法】変更
【補正の内容】
【特許請求の範囲】
【請求項１】
医療装置に、該医療装置から局地にあるいは遠隔地に位置するトランシーバからアクセスするための方法であって、前記医療装置に関連する制御を含み、前記制御は、プログラム可能なプロトコルまたは該プロトコルに関連する患者データを有し、
前記医療装置と前記トランシーバとの接続を確立するステップと、
前記トランシーバから前記制御へと信号を送信するステップと、
前記信号が前記トランシーバからのプログラミング信号である場合に前記信号を処理して前記プログラム可能なプロトコルを操作し、前記信号がデータ転送信号である場合に前記患者データを前記トランシーバまたは別な場所へ送信するステップとを含む医療装置へのアクセス方法。
【請求項２】
患者およびインタフェースユニットに接続可能で電子的に制御可能な医療装置を備える遠隔でアクセス可能な医療装置システムであって、
前記医療装置は、プログラム可能なプロトコルに従って動作するように構成されると共に、該プロトコルに関連する患者データを有し、
前記インタフェースユニットは、前記プログラム可能なプロトコルおよび前記患者データを記憶するように構成されるメモリと、
前記プログラム可能なプロトコルおよび前記患者データを操作するように構成されるプロセッサと、
音声記憶ユニットと、
第１の通信ポートと、
第２の通信ポートとを備え、
前記第１の通信ポートは前記プロセッサがローカル電話に接続することができるように構成され、前記第２の通信ポートは該プロセッサがリモート電話に接続することができるように構成され、該プロセッサと前記ローカル電話および前記リモート電話のうちの一方との接続が確立されると、該プロセッサは前記音声記憶ユニットにアクセスして、前記ローカル電話または前記リモート電話に対して人間の声をエミュレートする音声信号を送信し、該音声信号はメインメニューを含む多数の音声による照会を含み、該音声による照会は、前記ローカル電話または前記リモート電話のタッチトーン式キーパッドのキーを押して、前記音声による照会の中から選択するように該システムのユーザに指示し、
該システムのプログラミングは前記ローカル電話および前記リモート電話のタッチトーン式キーパッドによってそれぞれ生成される局地プログラミング信号および遠隔プログラ
ミング信号によって達成され、前記プロセッサは該局地プログラミング信号および該遠隔プログラミング信号のうちの一方の受信に応答して前記メモリ内で前記プログラム可能なプロトコルを操作するように構成され、かつデータ検索は、前記ローカル電話の前記タッチトーン式キーパッドによって生成される局所データアクセス信号および前記リモート電話の前記タッチトーン式キーパッドによって生成される遠隔データアクセス信号のうちの一方にそれぞれ応答して、局所データ信号および遠隔データ信号のうちの一方を送信するように構成される前記プロセッサによって行われ、該局所データ信号および該遠隔データ信号は前記音声記憶ユニットからの音声信号の形態をとる、医療装置システム。
【請求項３】
遠隔でアクセス可能な医療装置システムであって、
患者に接続される電子的に制御可能な医療装置であって、プログラム可能なプロトコルに従って動作するように構成されると共に、該プロトコルに関連する患者データを有し、該医療装置および前記患者は第１のロケーションに位置する、医療装置と、
前記プログラム可能なプロトコルおよび前記患者データを記憶するように構成されるメモリと、
前記プログラム可能なプロトコルおよび前記患者データを操作するように構成されるプロセッサと、
音声記憶ユニットと、
第１の通信ポートと、
第２の通信ポートとを備え、
前記メモリ、前記プロセッサ、前記音声記憶ユニット、前記第１の通信ポート、および前記第２の通信ポートは、前記第１のロケーションに位置し、前記第１の通信ポートは前記プロセッサがローカル電話に接続することができるように構成され、前記第２の通信ポートは該プロセッサがリモート電話に接続することができるように構成され、該プロセッサと前記ローカル電話および前記リモート電話のうちの一方との接続が確立されると、該プロセッサは前記音声記憶ユニットにアクセスして、前記ローカル電話または前記リモート電話に対して人間の声をエミュレートする音声信号を送信し、該音声信号はメインメニューを含む多数の音声による照会を含み、該音声による照会は、前記ローカル電話または前記リモート電話のタッチトーン式キーパッドのキーを押して、前記音声による照会の中から選択するように該システムのユーザに指示し、
該システムのプログラミングは前記ローカル電話および前記リモート電話のタッチトーン式キーパッドによってそれぞれ生成される局地プログラミング信号および遠隔プログラミング信号のうちの一方によって達成され、前記プロセッサは該局地プログラミング信号および該遠隔プログラミング信号のうちの一方の受信に応答して前記メモリ内で前記プログラム可能なプロトコルを操作するように構成され、かつデータ検索は、前記ローカル電話の前記タッチトーン式キーパッドによって生成される局所データアクセス信号および前記リモート電話の前記タッチトーン式キーパッドによって生成される遠隔データアクセス信号のうちの一方に応答して、局所データ信号および遠隔データ信号のうちの一方を送信するように構成される前記プロセッサによって行われ、該局所データ信号および該遠隔データ信号は前記音声記憶ユニットからの音声信号の形態をとる、医療装置システム。
【請求項４】
前記プロセッサに連結されると共に、前記通信ポートを起動して個々の前記電話と通信できるように動作可能であるリンクボタンをさらに備える、請求項３に記載の医療装置システム。
【請求項５】
警報アルゴリズムは前記メモリ内に記憶されると共に、前記患者データの警報状態を検出するように構成され、前記プロセッサは、所定のリモート電話との接続を開始すると共に、該接続上で前記所定のリモート電話に対して前記患者データを送信するように構成される、請求項３に記載の医療装置システム。
【請求項６】
前記プログラム可能なプロトコルの前記操作および前記患者データの再検討は、前記タッチトーン式キーパッドの０、１、２、３、４、５、６、７、８、９、＊、および＃のキーを使用して行うことができる、請求項３に記載の医療装置システム。
【請求項７】
該システムは、最初に、前記ユーザが前記ローカル電話または前記リモート電話の前記キーパッドを使用してアクセスコードを入力するように、要求を音声信号の形態で該ユーザに提供し、該システムへのアクセスは、前記ユーザによって入力される前記アクセスコードが該医療装置システムのアクセスコードメモリ内に記憶されているユーザアクセスコードに一致しない限り阻止される、請求項３に記載の医療装置システム。
【請求項８】
前記メニューは、前記ユーザが前記局所プログラミング信号および前記遠隔プログラミング信号のうちの一方を使用して前記プログラム可能なプロトコルを編集することができる編集モードを備え、該システムは、前記ユーザに該プログラム可能なプロトコルの前記編集の前に前記ローカル電話または前記リモート電話の前記キーパッドを使用して該医療装置のシリアルナンバー、ユーザ識別番号、および患者識別番号を入力するように要求し、該シリアルナンバー、該ユーザ識別番号、および該患者識別番号は、前記メモリ内に記憶されている、請求項３に記載の医療装置システム。
【請求項９】
前記メインメニューは、前記ユーザが、警報状態の場合にかけられる前記メモリ内の警報用の電話番号またはファックス番号を再検討し、該警報用の電話番号またはファックス番号を削除し、かつ前記ローカル電話または前記リモート電話の前記キーパッドを使用して新規の警報用の電話番号またはファックス番号を追加することができる警報再検討モードを備える、請求項３に記載の医療装置システム。
【請求項１０】
前記メインメニューは電話モードを備え、前記リモート電話の前記キーパッドを使用して前記ユーザにより前記電話モードが選択されると、該ユーザが前記患者と対話することができるように前記ローカル電話と前記リモート電話との間に接続が確立される、請求項３に記載の医療装置システム。
【請求項１１】
前記ユーザが前記プログラム可能なプロトコルを編集する場合、自動的に前記電話モードに入る、請求項１０に記載の医療装置システム。
【手続補正２】
【補正対象書類名】明細書
【補正対象項目名】００２１
【補正方法】変更
【補正の内容】
【００２１】
リモート通信ポート４２、ローカル通信ポート４０、およびインタフェースデータポート４３は全て、データバス６２ａ、６４ａ、および６６ａをそれぞれ介してプロセッサに接続される。通信ポート４０、４２はトランシーバ４８、４８Ａ、５０から信号を受信し、これら信号をバス６２ａ、６４ａそれぞれを介してプロセッサ５６に中継し、プロセッサ５６は次にこれら信号を処理し、これら信号に応答して各種動作を実行する。ケア提供者が電話４８からリモート通信モードを選択する場合、プロセッサ５８はバス７０ａを介して音声記憶ユニット５４からデジタル音声信号を受信し、これらデジタル音声信号をバス７０ｂを介して音声シンセサイザ５８に送信する。音声シンセサイザ５８において、信号はヒューマンボイスエミュレート信号に変換される。これらヒューマンボイス信号は、バス６２ｂ、６４ｂ、および６６ｂを介して音声シンセサイザ５８からバス６２ａ、６４ａ、６６ａに送信され、バス６２ａ、６４ａ、６６ａはこれら信号をリモート通信ポート４２、ローカル通信ポート４０、およびインタフェースデータポート４４それぞれに中継する。
【手続補正３】
【補正対象書類名】明細書
【補正対象項目名】００２４
【補正方法】変更
【補正の内容】
【００２４】
ケア提供者が送信したＤＴＭＦ信号が、リモート電話４８からインタフェース１４のリモート通信ポート４２へ送信されるリモートプログラミング信号である場合、リモート通信ポート４２は該リモートプログラミング信号をデータバス６２ａを介してプロセッサ５６に中継する。リモートプログラミング信号の受信に応答して、プロセッサ５６はプロトコルメモリ５２から、プログラミングプロトコルの特定のパラメータにアクセスする。パラメータにアクセスするために、プロセッサ５６は、プロセッサ５６とプロトコルメモリ５２を連結するデータバス６８を介してプロトコルアドレス信号を送信する。プロトコルアドレス信号は、パラメータを含むプロトコルメモリ５２におけるロケーションに対応する。次にパラメータはプロトコルメモリ５２からデータバス６８を介してプロセッサ５６に送信される。リモートプログラミング信号の性質に応じて、次にプロセッサ５６は、編集、削除、または再検討のためのパラメータのリモートトランシーバ４８、５０への返信を含む多くの操作のうちの１つをパラメータに対して実行できる。処理のために、多くのタイプの信号またはコマンドをリモートトランシーバ４８、５０からインタフェース１４に送信できることが、当業者には認識されよう。こういった信号、かかる信号の処理方法、およびかかる信号の効果の例については、本発明の動作の説明とともに以下に詳述する。
【手続補正４】
【補正対象書類名】明細書
【補正対象項目名】００３３
【補正方法】変更
【補正の内容】
【００３３】
代わりに、ケア提供者はリモートコンピュータ５０からのインタフェースのプロトコルにアクセスし、処理できる。ケア提供者は、リモートコンピュータ５０のモデムに医療装置システム１０の番号をダイヤルさせて、直接プログラミングモードを開始する。システム１０が患者の生命徴候サインを監視するだけである場合には、ケア提供者は、当業者によって理解されるであろう生命徴候サインを引き出すことができる。最初に、ケア提供者のコンピュータ画面にメッセージが現れ、メインメニューに進む前に追加されたオプションを含むメニューを見たいかどうかをケア提供者に尋ねる。図４に示されているように、そのようなオプションは、ケア提供者のコンピュータへの患者の状態ステータスの送信（ステップ８）、提供者のコンピュータ上のファイルからの、新しいプロトコルのロード（ステップ９）、提供者が患者の現在の状態を変わり次第見ることのできる、リアルタイム監視モードを起動（ステップ１０）、装置のＰＭ履歴の受信（ステップ１１）、および診断モードの起動（ステップ１２）を含むが、これらに限定されない。ケア提供者が特別のオプションメニューに進まないことを選ぶ場合は（ステップ７）、アクセスコードメニュー（図５）に進むことで、直接リモートプログラミングセッションへ進む。
【手続補正５】
【補正対象書類名】明細書
【補正対象項目名】００５８
【補正方法】変更
【補正の内容】
【００５８】
ケア提供者は、ステップ１５１においてファイル送信モードを選択すると、図８Ｃに示すファイル送信メニュー（サークルＦ）へと移行する。ステップ１５２から１
６３は上記ステップ１３５から１４７と同様であるが、ただし、ケア提供者がサンプリング時間間隔を入力しなくてはならない（ステップ１６０）点と、リポートファイルがファックスに代わってコンピュータに送信されるよう、ファックス番号の代わりにコンピュータ電話番号が入力される（ステップ１６１）点とを除く。更にシステム１０は、インターネットなどの通信ネットワークを介して電子メールを送信するようプログラムされていてもよい。本発明のこの特徴において、装置は、通信ネットワークにログオンし、メモリに記憶されたパスワードを入力し、電子メールリポートを送信するようプログラムされることになる。
【手続補正６】
【補正対象書類名】明細書
【補正対象項目名】００５９
【補正方法】変更
【補正の内容】
【００５９】
〈本発明の医療装置システムへのローカルアクセス〉
本発明の他の態様において装置は、気分や痛みの程度などに関して患者に質問するようプログラムされていてもよい。これらの質問への答えは、当業者に理解されるように、ケア提供者がアクセスすることができ、装置のプロトコルをプログラムするうえでケア提供者の助けとなる。例えば、気分が良いことを患者が表明した場合、ケア提供者はプロトコルを編集しなくてもよいことになる。本発明のこの特徴は、ケア提供者がより多くの情報にアクセスしより良く患者を治療することを可能にする。患者は、システム１０そのものを介し、ローカル電話４８Ａ、またはコンピュータなどの他の手段を通じて、自身のデータを入力してもよい。患者は、自分の体調が変化した時、あるいは一定の間隔で情報を入力するよう電話の呼び出しまたはシステム１０の警報により促された時に常に、入力し得る。